(57)【要約】【課題】襖を閉じたとき柱との間に生ずる隙間をなくすため襖に取付けられて襖の傾きを変える取付具において、襖を取外すことなく取付けたままの状態で取付けられる構造の簡単な取付金具を提供する。【解決手段】Ｌ形断面をなして、その一側を摺接部１ａ、他側を取付部１ｂとし、取付部１ｂには、一対のネジ孔２が形成される。襖１１の傾きを変え、柱１１との隙間をなくすときには、襖１１の一端のコーナに摺接部１ａを敷居１４の凹溝１５に沿わせて襖下端面下に押込み、取付部１ｂを襖側側に当てがって止ネジ３を各ネジ孔２を通して襖１１に捩じ込み止着する。【選択図】図４
0003122518.tif 000002
【実用新案登録請求の範囲】
【請求項１】
敷居及び鴨居の凹溝に摺動可能に嵌め込まれる摺動建具の傾きを変えるための取付具であって、Ｌ形断面をなし、その一側を敷居の凹溝に嵌め込んだ摺動建具の一端部の下端面と凹溝底との間に前記下端面に沿わせて挿入される摺接部とし、他側を摺動建具の側面に取付手段によって取付けられる取付部としたことを特徴とする摺動建具の取付具。
【請求項２】
前記摺接部には少なくとも凹溝底との接触面に摩擦係数の小さな硬質樹脂を被覆したことを特徴とする請求項１記載の摺動建具の取付具。
【請求項３】
前記取付具の摺接部と摺動建具との間にスペーサを介装することを特徴とする請求項１記載の摺動建具の取付具。
【考案の詳細な説明】
【技術分野】
【０００１】
本考案は、襖、障子、引き戸等の摺動建具を閉じたときに柱や側壁との間に生ずる隙間をなくすべく摺動建具の傾きを変えるために取付けられる取付具に関する。
【背景技術】
【０００２】
摺動建具として図１に示す襖１１を例にとっていえば、襖１１は柱１２間の鴨居１３と敷居１４に形成される凹溝１５に嵌合して開閉時に摺動するようになっているが、家屋の歪み等により柱１２や敷居１４等が傾斜すると、襖１１を閉じたとき図２に示すように柱１２との間に隙間１７を生ずるようになる。こうした隙間１７は、見映えを損なうばかりでなく、遮音性、保温性を損なうようになる。こうした隙間１７をなくすため従来は、襖１１を敷居１４から取外して、その下端面をカンナ掛けして傾斜を付け、敷居１４に嵌め込んでいるが、その作業には熟練及び労力を要する。
【０００３】
摺動建具の傾きを変えるための取付具もいくつかのものが知られているが、概して構造が複雑で、取付けも容易ではない。下記特許文献１には、中央部を摺動建具の下端面にネジにて止着される取付部とし、該取付部の両側を斜め下方に折曲する板ばね状の摺接部とした隙間除去装置が開示されている。この装置によれば、摺動建具の一端部に取付けることにより摺動建具の一端部が持上げられた状態で傾斜し、これにより柱との隙間が解消されるようになっており、構造も比較的簡単であるが、取付けに際しては、摺動建具を一旦取外さねばならない。
【特許文献１】特開平１１−２００７１７号
【考案の開示】
【考案が解決しようとする課題】
【０００４】
本考案は、摺動建具を取外すことなく、取付けたままの状態で簡易に取付けることができる構造の簡単な摺動建具の傾きを変えるための取付具を提供することを目的とする。
【課題を解決するための手段】
【０００５】
請求項１に係わる考案は、敷居及び鴨居の凹溝に摺動可能に嵌め込まれる摺動建具の傾きを変えるための取付具であって、Ｌ形断面をなし、その一側を敷居の凹溝に嵌め込んだ摺動建具の一端部の下端面と凹溝底との間に前記下端面に沿わせて挿入される摺接部とし、他側を摺動建具の側面に取付手段によって取付けられる取付部としたことを特徴とする。
【０００６】
本考案の敷居は、例えば間仕切りのため部屋と部屋との間に設置される敷居、土間に設置される敷居等が挙げられ、摺動建具としては、例えば襖、障子、引き戸等を挙げることができ、引き戸には家具の引き戸も含まれるものとする。
【０００７】
取付具の材質は、鋼、アルミ等の金属であってもよいし、木や硬質樹脂であってもよいが、摺接部には、摺動建具の開閉をスムースにし、更には敷居や取付具の損耗を少なくするために敷居の凹溝底との摩擦抵抗を少なくする手段を施すのが望ましい。摩擦抵抗を少なくするための手段としては、例えばテフロン（登録商標）加工、ポリプロピレン等の硬質樹脂の被覆層を設けることなどが例示される。
取付手段としては、例えば止ネジ、接着剤、両面粘着テープ等を挙げることができる。
【０００８】
本考案の取付具は、摺動建具の一端のコーナに側面から差込んで取付けられるが、摺動建具の下端面が段状をなす場合、前面又は裏面から差込んで取付けることもできる。
【０００９】
請求項２に係わる考案は、請求項１に係わる考案において、摺接部には少なくとも凹溝底との接触面に摩擦係数の小さな硬質樹脂を被覆したことを特徴とする。
【００１０】
請求項３に係わる考案は、請求項１に係わる考案において、取付具の摺接部と摺動建具との間にスペーサを介装することを特徴とする。
【考案の効果】
【００１１】
請求項１に係わる考案の取付具によると、基本構成がＬ形断面の単体をなすから構造が簡単であること、敷居の凹溝に嵌め込まれた摺動建具の側面又は前後から摺動部を摺動建具の下端面下に差込み、取付部を取付手段により摺動建具に取付けるだけで摺動建具を取外すことなく簡易に取付けて摺動建具の傾きを変えることができること等の効果を奏する。
【００１２】
請求項２に係わる考案の取付具によると、建具の開閉がスムースに行われ、敷居や取付具の損耗も軽減することができる。
【００１３】
請求項３に係わる考案の取付具によると、スペーサの厚みを変えることにより、摺動建具の傾き調整を行うことができる。
【考案を実施するための最良の形態】
【００１４】
以下、本考案の実施形態を図面により説明する。
図３に示す取付具である取付金具１は、Ｌ形断面をなして、その一側を摺接部１ａ、他側を取付部１ｂとしたもので、取付部１ｂには、一対のネジ孔２が形成されている。
【００１５】
図２に示すように、摺動建具である襖１１を閉じた状態で柱１２との間に隙間１７が生ずるときには、図３に示す取付金具１を用い、襖１１の一端のコーナに摺接部１ａを敷居１４の凹溝１５に沿わせて襖下端面下に押込み、取付部１ｂを襖側面にあてがった状態で取付手段である止ネジ３を各ネジ孔２を通して襖１１に捩じ込み止着する（図４参照）。これにより図５に示すように襖１１の傾きが変えられ、柱１２との間の隙間１７が解消される。
【００１６】
図３に示す取付金具１を用いてもなお襖１１と柱１２との間の隙間がなくならないときには、摺接部１ａの厚みが大きな取付金具１を用いるか、或いは図６に示すように摺接部１ａと襖下端面との間にスペーサ４を介装させるとよい。
【００１７】
上記実施形態では、取付金具１を襖１１の一端のコーナに襖側面に当てて取付けているが、図７に示すように襖下端面が段状をなして敷居１４に嵌め込まれている場合、取付金具１を敷居１４の凹溝上縁と段状をなす襖下端面との間に差込んで取付け、これにより襖１１の一端部を持上げて傾きを変えることもできる。
【００１８】
上記実施形態ではまた、取付金具１は取付手段として止ネジ３を用いて止着されているが、接着剤や両面粘着テープを用いて取付けるようにしてもよい。
【００１９】
図８に示す取付金具６は、図３に示す取付金具１の摺接部１ａに摩擦係数の小さな、例えばポリプロピレンよりなる硬質樹脂７を被覆したもので、摺接部１ａの下端部の硬質樹脂７は、先端が先細り状となるように薄肉にされて敷居１４と襖下端面との間に差込み易くすると共に、敷居１４に嵌め込んだ状態で図８に示すように凹溝底との接触面積が増えて、襖１１の開閉が安定して行われうるようになっている。摺接部１ａの下端部の硬質樹脂７はまた、図９に示すように両側がＲ状をなして敷居１１との接触面積を減らし、襖１１の開閉がスムースに行われるようにしてある。
【００２０】
上記実施形態はいずれも取付金具１の適用例として襖１１を示したが、障子、家具の引き戸を含む引き戸等にも適用可能である。
【図面の簡単な説明】
【００２１】
【図１】襖の取付状態を示す斜視図。
【図２】襖と柱との間に隙間が形成された状態を示す図。
【図３】本考案に係わる取付金具の斜視図。
【図４】図５のａ部の拡大図。
【図５】図３に示す傾き調整具を取付けて襖の傾きを変え、板との隙間をなくした状態を示す図。
【図６】傾き調整具の摺接部と襖下端面との間にスペーサを介装させた状態を示す図。
【図７】本考案に係わる取付金具の別の使用態様を示す図。
【図８】本考案に係わる取付金具の別の例の斜視図。
【図９】図８に示す取付金具の取付状態を示す図。
【図１０】図８のＡ−Ａ線断面図。
【符号の説明】
【００２２】
１、６・・取付金具
１ａ・・摺接部
１ｂ・・取付部
２・・ネジ孔
３・・止ネジ
４・・スペーサ
７・・硬質樹脂
１１・・襖
１２・・柱
１３・・鴨居
１４・・敷居
１５・・凹溝
１７・・隙間
【図１】
0003122518.tif 000003
【図２】
0003122518.tif 000004
【図３】
0003122518.tif 000005
【図４】
0003122518.tif 000006
【図５】
0003122518.tif 000007
【図６】
0003122518.tif 000008
【図７】
0003122518.tif 000009
【図８】
0003122518.tif 000010
【図９】
0003122518.tif 000011
【図１０】
0003122518.tif 000012